(57)【要約】【課題】ドアスコープにおいて、ドアの室外側からの悪意によるドアスコープの取り外しを確実に防止しつつ、ドア側に何ら傷を付けることなく表札などの物品を吊り下げることができるようにする。【解決手段】ドアスコープ取付孔６の室外側から挿入する第１筒体２と室内側から挿入する第２筒体３と、第１筒体２に設けられた室外側フランジ部１０に対してそのまわりで回転自在に保持された外嵌リング４とを有し、第１筒体２の室外側フランジ部１０には外嵌リング４とドア５の室外側面との間に物品係止用隙間２０を形成させるスペーサ段部２１が設けられている。【選択図】図１
2007277866.tif 000002
【特許請求の範囲】
【請求項１】
ドア（５）のドアスコープ取付孔（６）に対しドア（５）の室外側から第１筒体（２）を挿入すると共にドア（５）の室内側から第２筒体（３）を挿入して両筒体を螺合させドア（５）を挟んだ状態で取り付けるドアスコープにおいて、第１筒体（２）にはドア（５）の室外側において径方向外方へ張り出す室外側フランジ部（１０）が設けられ、この室外側フランジ部（１０）まわりに外嵌リング（４）が回転自在に保持されており、上記第１筒体（２）の室外側フランジ部（１０）には外嵌リング（４）とドア（５）の室外側面との間に物品係止用隙間（２０）を形成させるスペーサ段部（２１）が設けられていることを特徴とするドアスコープ。
【請求項２】
前記外嵌リング（４）には、第１筒体（２）のスペーサ段部（２１）まわりを取り囲むガードリング部（２４）が形成されていることを特徴とする請求項１記載のドアスコープ。
【請求項３】
前記第１筒体（２）は欠円状等の異形断面形状部分（３６）を有し、この異形断面形状部分（３６）をもって同形状とされたドアスコープ取付孔（６）に回り止め状態に取付可能とされていることを特徴とする請求項１又は請求項２記載のドアスコープ。
【発明の詳細な説明】
【技術分野】
【０００１】
本発明は、訪問者の確認や防犯を目的としてドアに取り付けるドアスコープに関するものである。
【背景技術】
【０００２】
ドアスコープは、ドアのドアスコープ取付孔に対しドアの室外側から第１筒体を挿入すると共にドアの室内側から第２筒体を挿入してこれら両筒体を螺合させ、ドアを挟んだ状態で取り付ける構造であるが、もし第１筒体をドアの室外側から無理矢理に回すことができてしまうと、両筒体の螺合を解いてこれらを分離させ、ドアスコープの取り外しが可能となってしまう。
ドアスコープが取り外されると、ドアのドアスコープ取付孔から特殊工具や針金等を挿入してサムターン回しをする、所謂、バイパス解錠行為や、ドアスコープ取付孔からの覗き行為などの被害に至るおそれがある。そこで本出願人は嘗て、第１筒体において室外側で露出する部分に回転自在な外嵌リングを保持させることで、バイパス解錠行為や覗き行為等を防止できるものを開発し、特許出願している（例えば特許文献１等参照）。
【０００３】
一方、本出願人は、この種ドアスコープを利用してドアの室外側に表札などの物品を吊り下げできるようにした物品保持部材を開発し、特許出願している（特許文献２参照）。この物品保持部材では、ドアの室外側で露出する側の筒体を埋没状に設ける構造にした（筒体のフランジ部を囲繞できるような周壁を形成した）ことで、この筒体を回せないようにしていた。
【特許文献１】特開２００４−２１１５２２号公報
【特許文献２】特開２００４−１８３４７８号公報
【発明の開示】
【発明が解決しようとする課題】
【０００４】
上記先願に係るドアスコープ（特許文献１）では、外嵌リングを回したところで両筒体の螺合を解くことは決してできないため、ドアの室外側からの悪意によるドアスコープの取り外しを確実に防止でき、市場において高い評価を得ている。
また上記先願に係る物品保持部材（特許文献２）は、ドア側に何ら傷を付けることなく表札などの物品を吊り下げることができ、市場において高い評価を得ている。この物品保持部材では、ドアスコープにおけるドア室外側の筒体を埋没状に設けることで筒体を直接には回せないように対処しているうえに、物品保持部材と筒体とは相対回転自在としてあることで、ドアの室外側からの悪意によるドアスコープの取り外しも防止できるものであった。
【０００５】
但し、この物品保持部材にドアから剥がすような変形を加えながらこれ自体を筒体まわりで無理矢理に回すようなことをすれば、筒体が供回りしてしまうことが絶対に無いわけではない。これを防止するため、ドアに設けられるドアスコープ取付孔を欠円状等の異形開口形状にし、またドアスコープにおいても同様に、欠円状等の異形断面形状部分を設けることで、ドア取付孔に対するドアスコープの回り止めを図ることはできるが、既存のドアに設けられたドアスコープ取付孔が円形開口であった場合には、この回り止め作用を期待することはできなかった。
【０００６】
これらのことから、ドアの室外側からの悪意によるドアスコープの取り外しを確実に防止しつつ、ドア側に何ら傷を付けることなく表札などの物品を吊り下げることができるようにしたドアスコープの開発が待たれていた。
本発明は、上記事情に鑑みてなされたものであって、ドアの室外側からの悪意によるドアスコープの取り外しを確実に防止しつつ、ドア側に何ら傷を付けることなく表札などの物品を吊り下げることができるようにしたドアスコープを提供することを目的とする。
【課題を解決するための手段】
【０００７】
前記目的を達成するために、本発明は次の手段を講じた。
即ち、本発明に係るドアスコープは、ドアのドアスコープ取付孔に対しドアの室外側から第１筒体を挿入すると共にドアの室内側から第２筒体を挿入して両筒体を螺合させドアを挟んだ状態で取り付けるものであって、第１筒体にはドアの室外側において径方向外方へ張り出す室外側フランジ部が設けられ、この室外側フランジ部まわりに外嵌リングが回転自在に保持されており、上記第１筒体の室外側フランジ部には外嵌リングとドアの室外側面との間に物品係止用隙間を形成させるスペーサ段部が設けられている。
【０００８】
このような構成であるため、外嵌リングを回したところで第１筒体を回すことができず、従って第１筒体と第２筒体との螺合を解くことは決してできないため、ドアの室外側からの悪意によるドアスコープの取り外しを確実に防止できる。また、外嵌リングとドアの室外側面との間に形成された物品係止用隙間に対して表札などの物品を吊り下げることができ、このようにしてもドア側には何ら傷を付けることがないという利点がある。
また、第１筒体に対して外嵌リングの回転力が伝わらない構造であるから、ドアに設けられたドアスコープ取付孔が円形孔であったとしても、何ら問題なく、本発明に係るドアスコープをそのまま取り付けることができる。
【０００９】
外嵌リングには、第１筒体のスペーサ段部まわりを取り囲むようにして、ガードリング部を形成させておくのが好ましい。
このようにすることで、物品係止用隙間へ工具等を差し込んだとしても、この工具等で第１筒体のスペーサ段部を掴んだり係合させたりすることができず、結果、この工具等で第１筒体を回すことはできない。従って、ドアの室外側からの悪意によるドアスコープの取り外しを防止する確実性が一層、高まる。
第１筒体に対して欠円状等の異形断面形状部分を設けておき、この異形断面形状部分をもって同形状とされたドアスコープ取付孔に回り止め状態に取付可能とさせるのが好適である。
【００１０】
このようにすれば、外嵌リングだけの空転（外嵌リングに対して第１筒体が供回りすることの防止作用）が確実となる。また万が一、異物の噛み込みや錆付き、水苔の発生等が原因で外嵌リングの回転力が第１筒体に強く影響する状態に陥ったとしても、第１筒体の供回りを確実に防止できるので、ドアの室外側からの悪意によるドアスコープの取り外しを確実に防止することができる。
【発明の効果】
【００１１】
本発明に係るドアスコープでは、ドアの室外側からの悪意によるドアスコープの取り外しを確実に防止しつつ、ドア側に何ら傷を付けることなく表札などの物品を吊り下げることができる。
【発明を実施するための最良の形態】
【００１２】
以下、本発明の実施の形態を、図面に基づき説明する。
図１乃至図８は、本発明に係るドアスコープ１の一実施形態を示している。図１及び図２に示すように、このドアスコープ１は第１筒体２と第２筒体３とを有し、また第１筒体２における一端部のまわりを取り囲むように外嵌される外嵌リング４を有している。
第１筒体２はドア５に設けられたドアスコープ取付孔６に対し、ドア５の室外側から挿入可能とされており、また第２筒体３はドア５の室内側から挿入可能とされており、これら第１筒体２と第２筒体３とは、ドアスコープ６内において互いに螺合による結合が可能となっている。
【００１３】
本実施形態では、第１筒体２が雄管で第２筒体３が雌管とされ、第１筒体２の管端部外周面に雄ネジ２ａが設けられていると共に、第２筒体３の管端部内周面に、第１筒体２の雄ネジ２ａと螺合する雌ネジ３ａが設けられたものとしてある。ただ、これらは限定されるものではなく、第１筒体２が雌管で第２筒体３が雄管とされ、第１筒体２の管端部外周面に雌ネジが設けられていると共に、第２筒体３の管端部内周面に雄ネジ２ａが設けられたものとしてもよい。
図３乃至図５に示すように、第１筒体２は軸方向に貫通する筒孔２ｂを有した円筒体であって、雄ネジ２ａが設けられたのとは反対側の端部には、ドア５の室外側において径方向外方へ張り出す室外側フランジ部１０が設けられている。
【００１４】
この室外側フランジ部１０は先端ほど径小になる円錐台状に形成されており、その端面側には筒孔２ｂの開口周部に座グリを設けるような状態で円形凹部１１が形成されている。この円形凹部１１内に、凹レンズを組み合わせた対物レンズ１３が嵌め込まれるようになっている。なお、場合によっては魚眼レンズやカラーレンズ、保護レンズなどをも嵌め込むようにしてもよい。また筒孔２ｂ内には凸レンズから成る接眼レンズ１４が組み込まれている。
室外側フランジ部１０の裏側には一回り径小化された環状段部１５と、この環状段部１５よりも更に一回り径小化されたボス部１６とが設けられ、その先に第１筒体２として筒状に延びる筒外周面が設けられ、この筒外周面の一部（又は全部でもよい）に対して上記雄ネジ２ａが設けられている。ボス部１６は、ドア５のドアスコープ取付孔６に対してガタツキ無く挿入可能な外径に形成されている。
【００１５】
この第１筒体２には、外嵌リング４を組み付けるに際し、ボス部１６のまわりにスリップリング１７がガタツキ無く外嵌されるようになっており、ボス部１６と外嵌リング４との周間でそれらの相対回転を円滑にガイドする。
このスリップリング１７はボス部１６の軸方向で環状段部１５に当接係合し、それ以上、室外側フランジ部１０側へは移動しないようになっている。すなわち、ボス部１６のまわりにスリップリング１７を外嵌させたときには、軸方向において室外側フランジ部１０とスリップリング１７との間に環状段部１５の形成厚みに応じた環状隙間が形成されることになる。
【００１６】
スリップリング１７は、ドア５のドアスコープ取付孔６よりも径大に形成されており、第１筒体２をドアスコープ取付孔６へ挿入したときには、環状段部１５と当接するのとは反対側のリング端面１７ａがドアスコープ取付孔６の開口周部に当接するようになる。このとき、このスリップリング１７の厚み（第１筒体２としての軸方向長さ）により、外嵌リング４とドア５の室外側面との間に物品係止用隙間２０を形成させることができるようになっている。これにより、このスリップリング１７の上記リング端面１７ａは、物品係止用隙間２０を形成させるためのスペーサ段部２１として作用する。
【００１７】
この物品係止用隙間２０には、例えば表札等の物品Ｗ（図２参照）を保持させることができる。
外嵌リング４は上記スリップリング１７のまわりに外嵌されることで第１筒体２の室外側フランジ部１０に対してそのまわりに装着されるような位置付けになる。この外嵌リング４は、室外側フランジ部１０よりも径大に形成された装飾リング部２３と、この装飾リング部２３の後側で第１筒体２のスペーサ段部２１まわりを取り囲むように設けられたガードリング部２４とを有している。
【００１８】
この外嵌リング４において、装飾リング部２３側の端面には第１筒体２の室外側フランジ部１０を内嵌できる外側円形凹部２５が形成され、ガードリング部２４側の端面にはスリップリング１７をガタツキ無く内嵌できる内側円形凹部２６が形成され、これら外側円形凹部２５と内側円形凹部２６との間には、環状段部１５をガタツキ無く内嵌できる内鍔２７が設けられている。
外側円形凹部２５は室外側フランジ部１０の厚みと同等以上の凹部深さで形成されており、その結果、室外側フランジ部１０は外嵌リング４に対して面一又は没入状態となる。これにより、室外側フランジ部１０の外周部をプライヤー等の工具で掴むことは不可能となり、ドア５の室外側から第１筒体２が無理矢理に回されるのを防止でき、もって防犯上、有益となっている。
【００１９】
内鍔２７は室外側フランジ部１０の裏側に当接係合するので、この外嵌リング４が室外側フランジ部１０を超えて脱出することはない。この内鍔２７の厚みは、環状段部１５の形成厚みと同等以下とされており、軸方向において室外側フランジ部１０とスリップリング１７との間に形成される上記環状隙間内に収まるようになっている。
このようなことからこの外嵌リング４は、第１筒体２において、スリップリング１７のまわりで回転自在に保持されたものとなっている。
内鍔２７が室外側フランジ部１０とスリップリング１７との間の環状隙間内に収められている状態であって、且つスペーサ段部２１（スリップリング１７のリング端面１７ａ）がドア５の室外側面に当接されているとき、ガードリング部２４は、ドア５の室外側面までは達せず、未当接状態が保持されるような軸方向長さに形成されている。
【００２０】
従って、このガードリング部２４が外嵌リング４の回転を邪魔することはない。また、物品係止用隙間２０へ工具等を差し込んだとしても、この工具等で第１筒体２のスペーサ段部２１（スリップリング１７）を掴んだり係合させたりすることはできないため、結果、この工具等で第１筒体２を回すことはできない。これにより、ドア５の室外側からの悪意によるドアスコープ１の取り外しを防止する確実性が一層、高まる。
図６及び図７に示すように、第２筒体３の一端部には、室内側フランジ部３０が形成されており、この室内側フランジ部３０には、第２筒体３を回転させるための回転工具（図示略）を差し込む溝部（凹部）３１が形成されている。
【００２１】
ところで本実施形態では、図３や図５に示したように、第１筒体２のボス部１６に対し周方向の対向二箇所に面取り部３５が形成されており、この部分で異形断面形状部分３６が設けられたものとなったものを示してある。
この場合、図８に示すように、ドア５のドアスコープ取付孔６も異形断面形状部分３６に対応する開口形状に形成されたものであれば、第１筒体２において外嵌リング４だけの空転（外嵌リング４に対して第１筒体２が供回りすることの防止作用）が確実となる。また万が一、異物の噛み込みや錆付き、水苔の発生等が原因で外嵌リング４の回転力が第１筒体２に強く影響する状態に陥ったとしても、第１筒体２の供回りを確実に防止できるので、ドア５の室外側からの悪意によるドアスコープ１の取り外しを確実に防止することができる。
【００２２】
このような構成のドアスコープ１をドア２に取り付けるには、ドア５の室外側からドアスコープ取付孔６へ第１筒体２をその雄ネジ２ａ側が先になるようにして挿入させ、ドアスコープ取付孔６内にボス部１６が嵌合し、またドア５の室外側面にスペーサ段部２１（スリップリング１７のリング端面１７ａ）が当接するまで押し込む。
また、ドア５の室内側からドアスコープ取付孔６へ第２筒体３をその雌ネジ３ａが先になるように挿入させ、この第２筒体３における雌ネジ３ａ側の管端開口内に第１筒体２における雄ネジ２ａ側の管端が嵌るようにする。
【００２３】
このようにドア５のドアスコープ取付孔６に対し、ドア５の内外から第１筒体２と第２筒体３とを対向状態で挿入させた後、第２筒体３のフランジ部３０に形成された溝部３１に回転工具を差し込み、この回転工具によって第２筒体３を回転させ、第１筒体２の雄ネジ２ａと第２筒体３の雌ネジ３ａとを螺合させ、もってドア５を挟む状態にドアスコープ１を固定する。
ドア５の室外側からドアスコープ１を取り外そうとしても、外嵌リング４だけが空回りする状態となって第１筒体２を回すことはできず、従って第１筒体２と第２筒体３との螺合を解くことは決してできないため、ドア５の室外側からの悪意によるドアスコープ１の取り外しを確実に防止できる。
【００２４】
しかも、外嵌リング４とドア５の室外側面との間に形成された物品係止用隙間２０に対して表札などの物品Ｗを吊り下げることができ、ドア５側には何ら傷を付けることないという利点もある。
ところで、本発明は、上記実施形態に限定されるものではなく、実施の形態に応じて適宜変更可能である。
例えば、ドアに設けられるドアスコープ取付孔６の開口形状は、四角形等の多角形状、楕円状等、各種の非円形を採用でき、第１筒体２のボス部１６に異形断面形状部分３６を設ける場合、この異形断面形状部分３６もドアスコープ取付孔６の開口形状に合致するような形状にすればよい。
【図面の簡単な説明】
【００２５】
【図１】本発明に係るドアスコープの一実施形態を示す側断面図である。
【図２】図１のドアスコープを分解して示した斜視図である。
【図３】第１筒体を示す一部破砕側面図である。
【図４】図３のＡ−Ａ線矢視図である。
【図５】図３のＢ−Ｂ線矢視図である。
【図６】第２筒体を示す側断面図である。
【図７】図６のＣ−Ｃ線に相当する端面図である。
【図８】図１のＤ−Ｄ線断面図である 。
【符号の説明】
【００２６】
１ ドアスコープ
２ 第１筒体
３ 第２筒体
４ 外嵌リング
５ ドア
６  ドアスコープ取付孔
２０  物品係止用隙間
２１  スペーサ段部
３６  異形断面形状部分
【図１】
2007277866.tif 000003
【図２】
2007277866.tif 000004
【図３】
2007277866.tif 000005
【図４】
2007277866.tif 000006
【図５】
2007277866.tif 000007
【図６】
2007277866.tif 000008
【図７】
2007277866.tif 000009
【図８】
2007277866.tif 000010